【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
複数のコンポーネントキャリアのうちの少なくとも1つのコンポーネントキャリアの少なくとも1つのスロットの中で、ネットワークエンティティからスロットフォーマットインジケータをユーザ機器(UE)において受信するステップであって、前記少なくとも1つのコンポーネントキャリアが、グループ共通物理ダウンリンク制御チャネル(PDCCH)を含み、前記グループ共通PDCCH内の前記スロットフォーマットインジケータが、前記複数のコンポーネントキャリアの1つまたは複数の他のコンポーネントキャリア用の少なくともスロット構造情報を示す、ステップと、
前記1つまたは複数の他のコンポーネントキャリア用の前記少なくともスロット構造情報を使用して前記ネットワークエンティティと通信するステップと、
チャネル状態情報(CSI)測定をトリガするための指示を受信するステップであって、前記指示が、前記少なくとも1つのコンポーネントキャリアのスロットの中で受信されるダウンリンク制御情報(DCI)内に含まれる、ステップと、
前記CSI測定を実行するための測定構成を決定するステップであって、前記1つまたは複数の他のコンポーネントキャリアに対する前記CSIを実行するための前記測定構成を決定することが、前記1つまたは複数の他のコンポーネントキャリアの各々に対する測定スロットが、前記少なくとも1つのコンポーネントキャリアの前記スロットに位置するか、または前記少なくとも1つのコンポーネントキャリアの前記スロットの後に位置するかを決定することを含む、ステップと、
前記測定構成に基づき、前記CSI測定を実行するステップであって、前記測定構成に基づいて前記1つまたは複数の他のコンポーネントキャリアに対する前記CSI測定を実行することが、前記1つまたは複数の他のコンポーネントキャリアの各々に対する前記測定スロットが前記少なくとも1つのコンポーネントキャリアの前記スロットに位置する、または前記少なくとも1つのコンポーネントキャリアの前記スロットの後に位置するとの決定に基づき、前記1つまたは複数の他のコンポーネントキャリアにおける前記CSI測定を実行することを含む、ステップと、
前記CSI測定を前記ネットワークエンティティに送信するステップと
を備える方法。
【請求項２】
前記少なくとも1つのコンポーネントキャリアに対応するスロット持続時間が、前記1つまたは複数の他のコンポーネントキャリアに対応するスロット持続時間よりも短い、請求項1に記載の方法。
【請求項３】
前記少なくとも1つのコンポーネントキャリアに対応するスロット持続時間が、前記1つまたは複数の他のコンポーネントキャリアに対応するスロット持続時間よりも長い、請求項1に記載の方法。
【請求項４】
前記複数のコンポーネントキャリアからの第2のコンポーネントキャリア上で第2のPDCCHを受信するステップをさらに備え、前記PDCCHが、前記第2のコンポーネントキャリアの少なくとも1つのスロットに対するスロットフォーマットインジケータを伝達する、請求項1に記載の方法。
【請求項５】
前記スロットフォーマットインジケータが、前記スロットフォーマットインジケータを搬送する前記少なくとも1つのコンポーネントキャリア用のスロット構造情報をさらに示すか、または前記1つまたは複数の他のコンポーネントキャリアおよび前記少なくとも1つのコンポーネントキャリアの複数のスロットに対するそれぞれのスロット構造を示す、請求項1に記載の方法。
【請求項６】
前記少なくとも1つのコンポーネントキャリアの少なくとも第2のスロットの中で第2のスロットフォーマットインジケータを前記UEにおいて受信するステップをさらに備え、前記第2のスロットフォーマットインジケータが、前記少なくとも1つのコンポーネントキャリア用のスロット構造情報を示す、請求項1に記載の方法。
【請求項７】
前記少なくとも1つのコンポーネントキャリアおよび前記1つまたは複数の他のコンポーネントキャリアが異なるヌメロロジーを有する、請求項1に記載の方法。
【請求項８】
前記少なくとも1つのコンポーネントキャリアの中のアップリンク制御情報(UCI)を前記UEにおいて生成するステップであって、前記UCIが、前記1つまたは複数の他のコンポーネントキャリア用のアップリンク情報を含む、ステップと、
前記少なくとも1つのコンポーネントキャリアの少なくとも1つのスロットの中で前記UCIをネットワークエンティティへ送信するステップと
をさらに備える、請求項1に記載の方法。
【請求項９】
前記複数のコンポーネントキャリアの各々に関連するタイミングアドバンスオフセットを前記UEにおいて決定するステップ
をさらに備える、請求項1に記載の方法。
【請求項１０】
ワイヤレス通信のための装置であって、
複数のコンポーネントキャリアのうちの少なくとも1つのコンポーネントキャリアの少なくとも1つのスロットの中で、ネットワークエンティティからスロットフォーマットインジケータを受信するための手段であって、前記少なくとも1つのコンポーネントキャリアが、グループ共通物理ダウンリンク制御チャネル(PDCCH)を含み、前記グループ共通PDCCH内の前記スロットフォーマットインジケータが、前記複数のコンポーネントキャリアからの1つまたは複数の他のコンポーネントキャリア用の少なくともスロット構造情報を示す、手段と、
前記1つまたは複数の他のコンポーネントキャリア用の前記少なくともスロット構造情報を使用して前記ネットワークエンティティと通信するための手段と、
チャネル状態情報(CSI)測定をトリガするための指示を受信するための手段であって、前記指示が、前記少なくとも1つのコンポーネントキャリアのスロットの中で受信されるダウンリンク制御情報(DCI)内に含まれる、手段と、
前記CSI測定を実行するための測定構成を決定するための手段であって、前記1つまたは複数の他のコンポーネントキャリアに対する前記CSIを実行するための前記測定構成を決定することが、前記1つまたは複数の他のコンポーネントキャリアの各々に対する測定スロットが、前記少なくとも1つのコンポーネントキャリアの前記スロットに位置するか、または前記少なくとも1つのコンポーネントキャリアの前記スロットの後に位置するかを決定することを含む、手段と、
前記測定構成に基づき、前記CSI測定を実行するための手段であって、前記測定構成に基づいて前記1つまたは複数の他のコンポーネントキャリアに対する前記CSI測定を実行することが、前記1つまたは複数の他のコンポーネントキャリアの各々に対する前記測定スロットが前記少なくとも1つのコンポーネントキャリアの前記スロットに位置する、または前記少なくとも1つのコンポーネントキャリアの前記スロットの後に位置するとの決定に基づき、前記1つまたは複数の他のコンポーネントキャリアにおける前記CSI測定を実行することを含む、手段と、
前記CSI測定を前記ネットワークエンティティに送信するための手段と
を備える装置。
【請求項１１】
ネットワークエンティティにおけるワイヤレス通信の方法であって、
複数のコンポーネントキャリアのうちの少なくとも1つのコンポーネントキャリアに対するスロットフォーマットインジケータを生成するステップであって、前記少なくとも1つのコンポーネントキャリアが、グループ共通物理ダウンリンク制御チャネル(PDCCH)を含み、前記グループ共通PDCCH内の前記スロットフォーマットインジケータが、前記複数のコンポーネントキャリアからの1つまたは複数の他のコンポーネントキャリア用の少なくともスロット構造情報を示す、ステップと、
前記少なくとも1つのコンポーネントキャリアの少なくとも1つのスロットの中で前記スロットフォーマットインジケータをユーザ機器(UE)へ送信するステップと、
前記1つまたは複数の他のコンポーネントキャリア用の前記少なくともスロット構造情報を使用して前記UEと通信するステップと、
前記1つまたは複数の他のコンポーネントキャリアに対するチャネル状態情報(CSI)測定をトリガするための指示を送信するステップであって、前記指示が、前記少なくとも1つのコンポーネントキャリアのスロットの中で受信されるダウンリンク制御情報(DCI)内に含まれる、ステップと、
前記1つまたは複数の他のコンポーネントキャリアに対する前記CSI測定を受信するステップであって、前記CSI測定は、測定構成に基づき前記UEによって決定され、前記CSI測定を受信するステップは、前記少なくとも1つのコンポーネントキャリアの前記スロットに位置するか、または前記少なくとも1つのコンポーネントキャリアの前記スロットの後に位置する測定スロットを有する前記1つまたは複数の他のコンポーネントキャリアの少なくとも1つに対するCSI測定を前記UEから受信するステップを含む、ステップと
を備える方法。
【請求項１２】
前記少なくとも1つのコンポーネントキャリアに対応するスロット持続時間が、前記1つまたは複数の他のコンポーネントキャリアに対応するスロット持続時間よりも短い、または
前記少なくとも1つのコンポーネントキャリアに対応するスロット持続時間が、前記1つまたは複数の他のコンポーネントキャリアに対応するスロット持続時間よりも長い、請求項11に記載の方法。
【請求項１３】
前記複数のコンポーネントキャリアからの第2のコンポーネントキャリア上で第2のPDCCHを送信するステップをさらに備え、前記PDCCHが、前記第2のコンポーネントキャリアの少なくとも1つのスロットに対するスロットフォーマットインジケータを伝達する、請求項11に記載の方法。
【請求項１４】
複数のコンポーネントキャリアのうちの少なくとも1つのコンポーネントキャリアに対するスロットフォーマットインジケータを生成するための手段であって、前記少なくとも1つのコンポーネントキャリアが、グループ共通物理ダウンリンク制御チャネル(PDCCH)を含み、前記グループ共通PDCCH内の前記スロットフォーマットインジケータが、前記複数のコンポーネントキャリアからの1つまたは複数の他のコンポーネントキャリア用の少なくともスロット構造情報を示す、手段と、
前記少なくとも1つのコンポーネントキャリアの少なくとも1つのスロットの中で前記スロットフォーマットインジケータをユーザ機器(UE)へ送信するための手段と、
前記1つまたは複数の他のコンポーネントキャリア用の前記少なくともスロット構造情報を使用して前記UEと通信するための手段、
前記1つまたは複数の他のコンポーネントキャリアに対するチャネル状態情報(CSI)測定をトリガするための指示を送信するための手段であって、前記指示が、前記少なくとも1つのコンポーネントキャリアのスロットの中で受信されるダウンリンク制御情報(DCI)内に含まれる、手段と、
前記1つまたは複数の他のコンポーネントキャリアに対する前記CSI測定を受信するための手段であって、前記CSI測定は、測定構成に基づき前記UEによって決定され、前記CSI測定を受信することは、前記少なくとも1つのコンポーネントキャリアの前記スロットに位置するか、または前記少なくとも1つのコンポーネントキャリアの前記スロットの後に位置する測定スロットを有する前記1つまたは複数の他のコンポーネントキャリアの少なくとも1つに対するCSI測定を前記UEから受信することを含む、手段と
を備える、装置。
【請求項１５】
ワイヤレス通信のためのプロセッサによって実行可能なコンピュータコードを記録するコンピュータ可読記録媒体であって、前記コンピュータコードが、請求項1から9および11から13のうちのいずれか一項に記載の方法を実行するためのコードを含む、コンピュータ可読記録媒体。